(57)【要約】【課題】植物工場等の栽培施設内で四季を体感させる必要のある植物を栽培するにあたり、栽培効率の向上、省スペース化、コストの低減を図りながら連続的な収穫が可能となる植物栽培装置を提供する。【解決手段】植物栽培装置１０内の区域ごとに光環境条件、送風条件及び灌水条件を局所的に変更して栽培環境を制御することにより、植物栽培装置１０内で栽培環境条件の異なる複数の環境区域、すなわち、春の栽培環境条件を擬似的に再現する春条件区域Ａ、夏の栽培環境条件を擬似的に再現する夏条件区域Ｂ、秋の栽培環境条件を擬似的に再現する秋条件区域Ｃを設けることができる。コンベアの役割を担う台車１２とベルト１３によって、植物体Ｐを栽培容器２０ごとその栽培環境条件の異なる環境区域間を移動させる。【選択図】図１
2019115287.tif 000002
【特許請求の範囲】
【請求項１】
地面に対し垂直方向に設置された壁面と、
植物体を保持する部材であって前記壁面上に並設された保持手段と、
前記植物体に光を照射する照射手段と、
前記植物体又は前記植物体の周辺領域に風を送る送風手段と、
前記植物体に水又は養液を供給する灌水手段と、を備え、
前記照射手段により照射される光環境条件と、前記送風手段により送られる送風条件と、前記灌水手段により供給される灌水条件と、を局所的に変更して栽培環境条件の異なる複数の環境区域を前記壁面上に設け、
前記植物体を所定期間ごとに前記複数の環境区域間を移動させて栽培することを特徴とする植物栽培装置。
【請求項２】
前記複数の環境区域は、春の栽培環境条件を擬似的に再現する春条件区域と、夏の栽培環境条件を擬似的に再現する夏条件区域と、秋の栽培環境条件を擬似的に再現する秋条件区域と、からなることを特徴とする請求項１に記載の植物栽培装置。
【請求項３】
前記複数の環境区域のうち、上部領域を前記夏条件区域と設定することを特徴とする請求項２に記載の植物栽培装置。
【請求項４】
前記送風手段は、前記春条件区域及び前記秋条件区域では風を送り、前記夏条件区域では風を送らないことを特徴とする請求項２に記載の植物栽培装置。
【請求項５】
前記植物体を保持した状態で前記保持手段を移動させる移動手段をさらに備え、
前記移動手段により前記植物体を前記複数の環境区域間を自動的に移動させることを特徴とする請求項１乃至４のいずれか１項に記載の植物栽培装置。
【請求項６】
前記移動手段は、前記保持手段を地面に対し垂直方向に移動させ、
前記送風手段は、地面に対し平行方向に風を送ることを特徴とする請求項５に記載の植物栽培装置。
【請求項７】
前記移動手段は、前記保持手段を地面に対し平行方向に移動させ、
前記送風手段は、地面に対し垂直方向に風を送ることを特徴とする請求項５に記載の植物栽培装置。
【請求項８】
前記保持手段は、前記植物体の先端部が前記壁面から離れた方向に傾斜する状態で前記植物体を保持することを特徴とする請求項１乃至７のいずれか１項に記載の植物栽培装置。
【請求項９】
前記照射手段は、前記植物体の横方向又は正面方向から光を照射することを特徴とする請求項１乃至８のいずれか１項に記載の植物栽培装置。
【請求項１０】
前記灌水手段は、前記植物体に水又は養液を滴下する伸縮可能なチューブと、水又は養液を貯溜するタンクと、を有し、
前記チューブは、通常時は前記壁面内に収容されており、水又は養液の供給時は水圧により伸長して前記チューブの一部が前記壁面外に突出することを特徴とする請求項１乃至９のいずれか１項に記載の植物栽培装置。
【請求項１１】
地面に対し垂直方向に設置された壁面上に植物体を並設して保持する保持工程と、
前記保持工程により保持された前記植物体に光を照射する照射工程と、
前記保持工程により保持された前記植物体又は植物体の周辺領域に風を送る送風工程と、
前記保持工程により保持された前記植物体に水又は養液を供給する灌水工程と、を備え、
前記照射工程により照射される光環境条件と、前記送風工程により送られる送風条件と、前記灌水工程により供給される灌水条件と、を局所的に変更して栽培環境条件の異なる複数の環境区域を前記壁面上に形成する環境形成工程を有し、
前記植物体を所定期間ごとに前記環境形成工程により形成した複数の環境区域間を移動させて栽培することを特徴とする植物栽培方法。
【請求項１２】
前記保持工程により保持された前記植物体を前記複数の環境区域間を地面に対して垂直方向又は平行方向に自動的に移動させる移動工程をさらに備え、
前記送風工程は、前記移動工程により前記植物体を垂直方向に移動させたときは地面に対し平行方向に風を送り、前記移動工程により前記植物体を平行方向に移動させたときは地面に対し垂直方向に風を送ることを特徴とする請求項１１に記載の植物栽培方法。
【発明の詳細な説明】
【技術分野】
【０００１】
本発明は、植物栽培装置及び植物栽培方法に係り、特に、植物工場等の栽培施設内で四季を体感させる必要のある植物を栽培するための植物栽培装置及び植物栽培方法に関する。
【背景技術】
【０００２】
果菜類や果樹、薬草等、栽培期間が長期に渡る植物は、四季の環境変化によって花芽形成や結実、休眠が誘導される。このため、植物工場等のような閉鎖的な栽培施設内でこれらの植物を栽培するためには、四季を再現した環境に制御し、植物に擬似的に四季を体感させることが重要となる。
従来、このような複雑な環境制御が必要な場合は、複数の制御装置を栽培スペース全面に設置して、全体としてＯＮ／ＯＦＦの切り替えを行う方法、又は、各育成段階において理想的な環境に制御された栽培環境の異なる複数の部屋を設け、植物苗をそれらの部屋間で移動させる方法等により、栽培施設内で四季を再現して植物に擬似的に四季を体感させていた。
【０００３】
例えば、特許文献１は、植物工場における植物栽培システムに関する発明である。
具体的には、少なくとも上方に成長する幹を有する植物が載置される載置台と、載置台に載置された植物に光を提供する照明装置と、載置台を収容した自走式の移送装置とを備え、載置台を移送装置に搭載して、載置台ごと植物を移送できるシステムが開示されている。
【０００４】
また、特許文献２は、一つの株について成長、収穫段階と再生段階とを繰り返しながら連続生産を数回継続する植物育成装置に関する発明である。
具体的には、精密環境制御可能な再生棟と一般的な生産棟とを設け、これらを無限循環移動装置で結合し、再生棟を通年省エネルギー最適化可能なる高断熱壁体で構成し、生産棟で品質や収量の低下した株は再生棟に移動して再活性化処理をして再生をした後、再び生産棟に移動して再成長、再収穫を行うことにより、一つの株について循環的連続的に複数回の作型を実現させることが開示されている。
【先行技術文献】
【特許文献】
【０００５】
【特許文献１】特開２０１１−１２０５５７号公報
【特許文献２】特開平７−０１６０３１号公報
【発明の概要】
【発明が解決しようとする課題】
【０００６】
しかしながら、一か所の部屋で四季を再現する場合は、連続的な収穫を実現することができないという問題があった。
また、特許文献１や特許文献２のように植物を移動させる方法では、環境の異なる複数の区画を用意する必要があったり、再生塔と生産塔とを別個に設ける必要があったりする等、異なる栽培環境をつくるためには、大きな土地面積がなければ実現することができないという問題があった。しかも、植物がカートのような移動装置で室内を水平移動する方式の場合、単位面積あたりの生産量が低いうえ、植物苗１個体ごとにそれぞれ移動装置が必要となるため、高額なコストがかかるという問題があった。
【０００７】
本発明は、上記の課題に鑑みてなされたものであり、本発明の目的は、植物工場等の栽培施設内で四季を体感させる必要のある植物を栽培するにあたり、栽培効率の向上、省スペース化、コストの低減を図りながら連続的な収穫が可能となる植物栽培装置及び植物栽培方法を提供することにある。
【課題を解決するための手段】
【０００８】
前記課題は、本発明の植物栽培装置によれば、地面に対し垂直方向に設置された壁面と、植物体を保持する部材であって前記壁面上に並設された保持手段と、前記植物体に光を照射する照射手段と、前記植物体又は前記植物体の周辺領域に風を送る送風手段と、前記植物体に水又は養液を供給する灌水手段と、を備え、前記照射手段により照射される光環境条件と、前記送風手段により送られる送風条件と、前記灌水手段により供給される灌水条件と、を局所的に変更して栽培環境条件の異なる複数の環境区域を前記壁面上に設け、前記植物体を所定期間ごとに前記複数の環境区域間を移動させて栽培すること、により解決される。
【０００９】
上記のように、垂直面を利用した植物栽培装置において、装置内の環境区域ごとに光環境条件（例えば、光の波長、強度及び時間）、送風条件（例えば、風の方向及び強度）及び灌水条件（例えば、水又は養液の種類、温度及び量）を局所的に変更して栽培環境を制御することにより、同一装置内で栽培環境条件の異なる複数の環境区域を設けることができる。そして、植物をそれらの栽培環境条件の異なる環境区域間を移動させることにより、四季を体感させる必要のある植物を省スペース且つ低コストで、効率的に栽培、収穫することができる。
特に、同一栽培装置内において複数の異なる栽培環境条件を設けることにより、植物工場等の栽培施設の中に複数の部屋を設ける必要がなくなるため、広大な土地面積は不要となり、省スペース化が可能となる。また、植物を壁面上に垂直方向に並設された保持手段にて植栽することにより、単位面積当りの栽培効率を高めることができるうえ、草丈が高い植物であっても栽培効率を高めることができる。また、植物を移動させることにより、作業者は同じ場所で収穫や苗の取り出しを行うことができるので、作業者の負担を軽減し、作業効率が向上する。また、植物を壁面上に植栽することにより、結実面が手前側に偏るため、植物苗を３６０度の角度から収穫する手間が省け、収穫作業が行いやすく、作業効率が向上する。
【００１０】
また、前記複数の環境区域は、春の栽培環境条件を擬似的に再現する春条件区域と、夏の栽培環境条件を擬似的に再現する夏条件区域と、秋の栽培環境条件を擬似的に再現する秋条件区域と、からなる、と好適である。
このように、環境区域ごとにそれぞれの季節に合わせた栽培環境条件を再現することにより、四季を体感させる必要のある植物に対し、好適に四季を擬似的に体感させることができ、より効率的に植物を栽培、収穫することができる。
【００１１】
また、前記複数の環境区域のうち、上部領域を前記夏条件区域と設定する、と好適である。
このように、温度が高くなる栽培装置の上部領域の空間を夏条件区域とすることにより、効率的且つ低コストで夏の栽培環境条件を擬似的に再現することができ、より効率的に栽培、収穫することができる。また、通常、夏条件区域では作業者が実施する作業が少ないため、作業者の手が届き難い高い位置である上部空間を有効活用することができるので、より効率的に植物を栽培、収穫することができる。
【００１２】
また、前記送風手段は、前記春条件区域及び前記秋条件区域では風を送り、前記夏条件区域では風を送らない、と好適である。
このように、栽培環境条件の異なる環境区域ごと、すなわち、春条件区域及び秋条件区域では送風を行って照明熱をためずに冷涼な温度に制御し、夏条件区域では送風を行わずあえて温度を高めることにより、好適に四季を再現することができるので、より効率的に植物を栽培、収穫することができる。
【００１３】
また、前記植物体を保持した状態で前記保持手段を移動させる移動手段をさらに備え、前記移動手段により前記植物体を前記複数の環境区域間を自動的に移動させる、と好適である。
このように、移動手段を別途設けて、植物を生育に合せて同一栽培装置内を自動的に移動させることにより、作業者の負担を軽減して作業効率が向上するので、より効率的に植物を栽培、収穫することができる。特に、植物ごとにそれぞれ移動装置を用意する必要もなく、簡易な移動装置を栽培装置ごとに１つ設置すればよいため、コストを抑えつつ、より効率的に植物を栽培、収穫することができる。
【００１４】
また、前記移動手段は、前記保持手段を地面に対し垂直方向に移動させ、前記送風手段は、地面に対し平行方向に風を送る、と好適である。
このように、地面に対し平行方向、すなわち横方向に送風することにより、同一の栽培環境条件の環境区域を栽培装置内の横方向に設定することができ、且つ、植物を保持した状態で保持手段を地面に対し垂直方向、すなわち縦方向に移動させることにより、植物を横の列ごとに異なる栽培環境条件の環境区域間を移動させることができるので、より効率的に植物を栽培、収穫することができる。また、温度が高くなる栽培装置の上部領域の空間を夏条件区域にし易い等、容易に栽培環境条件の異なる複数の環境区域を設けることができ、より効率的に植物を栽培、収穫することができる。
【００１５】
また、前記移動手段は、前記保持手段を地面に対し平行方向に移動させ、前記送風手段は、地面に対し垂直方向に風を送る、と好適である。
このように、地面に対し垂直方向、すなわち縦方向に送風することにより、同一の栽培環境条件の環境区域を栽培装置内の縦方向に設定することができ、且つ、植物を保持した状態で保持手段を地面に対し平行方向、すなわち横方向に移動させることにより、植物を縦の列ごとに異なる栽培環境条件の環境区域間を移動させることができるので、より効率的に植物を栽培、収穫することができる。また、縦方向を同じ環境条件の環境区域とすることができるため、養液経路を単純化して同条件に適用する養液を上段から滴下灌水で行うことができ、より効率的に植物を栽培、収穫することができる。
【００１６】
また、前記保持手段は、前記植物体の先端部が前記壁面から離れた方向に傾斜する状態で前記植物体を保持する、と好適である。
このように、植物の先端部が壁面から離れた方向に傾斜するように設置することにより、上部に植栽されている他の植物や上部に配置された照明器具等との干渉を抑制することができる。そのため、狭い間隔で植物を配置することができるうえ、照明の熱による葉焼けで植物の生育を阻害することもなく、草丈が高い植物であっても、より効率的に植物を栽培、収穫することができる。
【００１７】
また、前記照射手段は、前記植物体の横方向又は正面方向から光を照射する、と好適である。
このように、植物の上方のみからではなく、横方向や正面方向からも光を照射することにより、装置の下方に植栽されている植物であっても十分な光量を得ることができるので、草丈や草姿が生育ステージで大きく異なる植物であっても、全ての植物が生育に十分な光量を得ることができ、より効率的に植物を栽培、収穫することができる。また、植物を縦方向に移動させる場合であっても照明装置が移動の妨げになることがなく、より率的に植物を栽培、収穫することができる。
【００１８】
また、前記灌水手段は、前記植物体に水又は養液を滴下する伸縮可能なチューブと、水又は養液を貯溜するタンクと、を有し、前記チューブは、通常時は前記壁面内に収容されており、水又は養液の供給時は水圧により伸長して前記チューブの一部が前記壁面外に突出する、と好適である。
このように、灌水用のチューブは通常時には壁面内に収容されており、水圧がかかったときのみ、すなわち、水又は養液の供給時にのみ伸長して壁面外に突出し、その先端部分が植物を保持した保持手段の上部に位置することにより、灌水用のチューブが植物の移動の妨げとなることがなく、より率的に植物を栽培、収穫することができる。
【００１９】
また、前記課題は、本発明の植物栽培方法によれば、地面に対し垂直方向に設置された壁面上に植物体を並設して保持する保持工程と、前記保持工程により保持された前記植物体に光を照射する照射工程と、前記保持工程により保持された前記植物体又は植物体の周辺領域に風を送る送風工程と、前記保持工程により保持された前記植物体に水又は養液を供給する灌水工程と、を備え、前記照射工程により照射される光環境条件と、前記送風工程により送られる送風条件と、前記灌水工程により供給される灌水条件と、を局所的に変更して栽培環境条件の異なる複数の環境区域を前記壁面上に形成する環境形成工程を有し、前記植物体を所定期間ごとに前記環境形成工程により形成した複数の環境区域間を移動させて栽培すること、により解決される。
【００２０】
上記のように、垂直面を利用した植物栽培方法において、装置内の環境区域ごとに光環境条件（例えば、光の波長、強度及び時間）、送風条件（例えば、風の方向及び強度）及び灌水条件（例えば、水又は養液の種類、温度及び量）を局所的に変更して栽培環境を制御することにより、同一装置内で栽培環境条件の異なる複数の環境区域を形成することができる。そして、植物をそれらの栽培環境条件の異なる環境区域間を移動させることにより、四季を体感させる必要のある植物を省スペース且つ低コストで、効率的に栽培、収穫することができる。
特に、同一栽培装置内において複数の異なる栽培環境条件を形成することにより、植物工場等の栽培施設の中に複数の部屋を設ける必要がなくなるため、広大な土地面積は不要となり、省スペース化が可能となる。また、植物を壁面上に垂直方向に並設して保持することにより、単位面積当りの栽培効率を高めることができるうえ、草丈が高い植物であっても栽培効率を高めることができる。また、植物を移動させることにより、作業者は同じ場所で収穫や苗の取り出しを行うことができるので、作業者の負担を軽減し、作業効率が向上する。また、植物を壁面上に植栽することにより、結実面が手前側に偏るため、植物苗を３６０度の角度から収穫する手間が省け、収穫作業が行いやすく、作業効率が向上する。
【００２１】
また、前記保持工程により保持された前記植物体を前記複数の環境区域間を地面に対して垂直方向又は平行方向に自動的に移動させる移動工程をさらに備え、前記送風工程は、前記移動工程により前記植物体を垂直方向に移動させたときは地面に対し平行方向に風を送り、前記移動工程により前記植物体を平行方向に移動させたときは地面に対し垂直方向に風を送る、と好適である。
このように、植物を生育に合せて同一栽培装置内を自動的に移動させることにより、作業者の負担を軽減して作業効率が向上するので、より効率的に植物を栽培、収穫することができる。
特に、地面に対し平行方向、すなわち横方向に送風することにより、同一の栽培環境条件の環境区域を栽培装置内の横方向に形成し、植物体を地面に対し垂直方向、すなわち縦方向に移動させることとするか、又は、地面に対し垂直方向、すなわち縦方向に送風することにより、同一の栽培環境条件の環境区域を栽培装置内の縦方向に形成し、植物体を地面に対し平行方向、すなわち横方向に移動させることとすれば、植物体を横又は縦の列ごとに形成した異なる栽培環境条件の環境区域間を自動的に移動させることができるので、より効率的に植物を栽培、収穫することができる。
【発明の効果】
【００２２】
本発明の植物栽培装置及び植物栽培方法によれば、植物工場等の栽培施設内で四季を体感させる必要のある植物を栽培するにあたり、栽培効率の向上、省スペース化、コストの低減を図りながら連続的な収穫が可能となる。
【図面の簡単な説明】
【００２３】
【図１】植物栽培装置の全体構成を説明する正面図である。
【図２】植物栽培装置の全体構成を説明する斜視図である。
【図３】植物栽培装置の光の照射方法の一例を示す説明図である。
【図４】植物栽培装置の光の照射方法の一例を示す説明図である。
【図５】植物栽培装置の送風方法の一例を示す説明図である。
【図６】植物栽培装置の灌水方法の一例を示す説明図である。
【図７】植物栽培装置の灌水方法の一例を示す説明図である。
【図８】環境区域ごとの環境制御の一例を示す図である。
【図９】青色光受容体の吸収波長領域を示す図である。
【図１０】他の実施形態における植物栽培装置の全体構成を説明する正面図である。
【図１１】他の実施形態における植物栽培装置の光の照射方法の一例を示す説明図である。
【図１２】他の実施形態における植物栽培装置の光の照射方法及び灌水方法の一例を示す説明図である。
【図１３】他の実施形態における植物栽培装置の光の照射方法の一例を示す説明図である。
【図１４】他の実施形態における植物栽培装置の光の照射方法及び灌水方法の一例を示す説明図である。
【図１５】他の実施形態における植物栽培装置の送風方法の一例を示す説明図である。
【図１６】他の実施形態における植物栽培装置の全体構成を説明する正面図である。
【図１７】さらに他の実施形態における植物栽培装置の全体構成を説明する図である。
【図１８】さらに他の実施形態における植物栽培装置の光の照射方法の一例を示す説明図である。
【図１９】さらに他の実施形態における植物栽培装置の光の照射方法の一例を示す説明図である。
【図２０】さらに他の実施形態における植物栽培装置の光の照射方法の一例を示す説明図である。
【図２１】さらに他の実施形態における植物栽培装置の送風方法の一例を示す説明図である。
【発明を実施するための形態】
【００２４】
以下、本発明の実施形態について図面を参照して説明する。
本発明の実施形態（第一実施形態〜第三実施形態）は、いずれも垂直面を利用した植物栽培装置において、装置内の区域ごとに光環境条件、送風条件及び灌水条件を局所的に変更して栽培環境を制御することにより、同一装置内で栽培環境条件の異なる複数の環境区域を設けた植物栽培装置の発明に関するものである。また、本発明の実施形態（第一実施形態〜第三実施形態）における植物栽培装置による植物の栽培には、植物栽培方法の発明が適用されている。
【００２５】
＜第一実施形態＞
まず、本発明の第一実施形態について説明する。
ここで説明する第一実施形態は、壁面１１上で局所的に環境を制御することにより、壁面１１上に栽培環境条件の異なる複数の環境区域を設け、植物体Ｐがその壁面１１上を周回するように移動する回転移動型の植物栽培装置１０である。
【００２６】
図１は、本実施形態における植物栽培装置１０の全体構成を説明する正面図である。図２は、本実施形態における植物栽培装置１０の全体構成を説明する斜視図である。図３は、本実施形態における植物栽培装置１０の光の照射方法の一例を示す説明図である。図４は、本実施形態における植物栽培装置１０の光の照射方法の一例を示す説明図である。図５は、本実施形態における植物栽培装置１０の送風方法の一例を示す説明図である。図６は、本実施形態における植物栽培装置１０の灌水方法の一例を示す説明図である。図７は、本実施形態における植物栽培装置１０の灌水方法の一例を示す説明図であり、（ａ）は通常時の状態を示す図であり、（ｂ）は供給時の状態を示す図である。図８は、環境区域ごとの環境制御の一例を示す図である。図９は、青色光受容体の吸収波長領域を示す図である。
【００２７】
図１〜図７に示すように、植物栽培装置１０は、壁面１１と、台車１２と、ベルト１３と、ＬＥＤ１４と、送風機１５と、第１タンク１６及び第２タンク１７と、その第１タンク１６又は第２タンク１７に連結されたチューブ１８及び排水管１９と、栽培容器２０と、を主に備える。
【００２８】
壁面１１は、植物工場ユニット内の壁面１１であり、地面に対し垂直方向に設置されている。壁面１１は、植物体Ｐ等を複数保持できる程度の強度を有している。壁面１１上には、ＬＥＤ１４を取り付けるためのフレーム２１が立設されている。また、図６等に示すように、壁面１１の内部には、灌水のためのチューブ１８又は排水管１９を通すための経路１１ａが形成されている。
【００２９】
台車１２は、壁面１１上に回転可能に複数台備え付けられており、不図示の制御装置により、一定の方向に自動で回転する構成である。台車１２は、常時僅かに回転している構成であってもよいし、所定時間ごとに定期的に数度ずつ回転する構成であってもよい。なお、本実施形態では、台車１２は自動的に回転することとしたが、作業者が定期的に、例えば１０日に一回等、手動で所定の角度回転させることとしてもよい。
ベルト１３は、その台車１２の外周面の一部に接触する構成であり、本実施形態では環状のベルト１３が複数台の台車１２を囲うように設置されている。ベルト１３は、台車１２の回転により生じた動力を台車１２との接触面の摩擦により伝達されて動作する構成であり、台車１２とベルト１３とにより所謂コンベアとして機能する。ベルト１３には、その表面、すなわち、壁面１１とは反対側に栽培容器２０を取り付けることができる不図示の取付部を有している。ベルト１３は、栽培容器２０を取り付けた状態で、台車１２の回転を動力として動作することにより、壁面１１上で栽培容器２０を図１等の矢印で示す方向に移動させる。
なお、この台車１２及びベルト１３が、特許請求の範囲でいう移動手段に相当する。
【００３０】
ＬＥＤ１４は、光を照射する照明装置であり、波長の異なる３種類のＬＥＤから構成されている。具体的には、太陽光と同じく各波長の光線が略均等に混合して色相の感覚を与えない白色光を照射する白色ＬＥＤ１４ａと、青色光（４００〜５００ｎｍ）を照射する青色ＬＥＤ１４ｂと、遠赤色光（７００〜８００ｎｍ）を照射する遠赤色ＬＥＤ１４ｃとから構成される。ＬＥＤ１４は、それぞれ光強度（光量子束密度）と照射時間が制御されている。また、植物栽培装置１０の上方部分は、下方部分よりも設置されているＬＥＤ１４の本数が多くなるように設定されている。
なお、このＬＥＤ１４が、特許請求の範囲でいう照射手段に相当する。
【００３１】
本実施形態では、ＬＥＤ１４は、植物体Ｐの上方には設置せず、植物体Ｐの横方向（図３）又は植物体Ｐの正面方向（図４）に設置する。例えば、図３に示すように、壁面１１に立設されているフレーム２１にＬＥＤ１４を植物体Ｐに向けて設置すれば、植物体Ｐの側面から光を照射することができる。一方、図４に示すように、壁面１１と対向する領域に反射板２２を設置し、その反射板２２にＬＥＤ１４を植物体Ｐに向けて設置すれば、植物体Ｐの正面から光を照射することができる。
本実施形態のように、植物体Ｐを縦方向に並べて植栽する場合、仮に従来の光の照射方法のように植物体Ｐの上方のみに光源を設置すると、植物栽培装置１０の下方に植栽されている植物体Ｐは十分な光量を得ることができずに生育不良となることがある。このため、植物体Ｐを縦方向に並べて植栽して栽培する場合は、本実施形態のように、植物体Ｐに対して横方向（図３）又は正面方向（図４）から光を照射することにより、草丈や草姿が生育ステージで大きく異なる果樹等の作物であっても、全ての植物体Ｐが生育に十分な光量を得ることができる。
【００３２】
送風機１５は、風を送ることができる構成であれば、どのようなものでもよい。例えば、羽根を回転させることにより、空気の流れを生じさせる構成の電気機器等であるよい。本実施形態では、図５に示すように、壁面１１上の一部の領域に対して、横方向に送風する構成である。
なお、この送風機１５が、特許請求の範囲でいう送風手段に相当する。
【００３３】
図６に示すように、壁面１１の裏側には、複数のタンク、すなわち、養液を貯溜した第１タンク１６と第２タンク１７とが設置されている。第１タンク１６と第２タンク１７では、養液の温度等が異なる。すなわち、第１タンク１６には常温の養液が貯溜されており、第２タンク１７には低温の養液が貯溜されている。また、第１タンク１６及び第２タンク１７に貯溜されている養液は、例えば、リン酸多めや窒素多め等、それぞれ種類（組成）が異なることとしてもよい。また、栽培容器２０内の培地の種類によっても養液の成分や濃度が設定されている。
【００３４】
第１タンク１６及び第２タンク１７には、それぞれ流体である養液を連続的に輸送することができる養液循環経路の役割を果たす管状のチューブ１８と、第１タンク１６及び第２タンク１７から養液を汲み上げる不図示のポンプとが接続されている。チューブ１８の先端部１８ａは、柔軟性を有しており、ポンプによって送られた養液の水圧に応じて吹き戻しのように伸縮する構成である。また、栽培容器２０の底には、余剰分の養液を下段の植物体Ｐに供給するためのチューブ１８が接続されている。また、第１タンク１６側の養液循環経路は、さらに余剰となった養液が壁面１１内部を貫通している排水管１９を通して再度第１タンク１６に戻る構成である。
なお、この第１タンク１６及び第２タンク１７、チューブ１８及び排水管１９が、特許請求の範囲でいう灌水手段に相当する。
【００３５】
ここで、灌水方法について、具体的に説明する。
図６に示すように、本実施形態の植物栽培装置１０においても、従来既知の壁面緑化装置と同様、養液を上段の植物体Ｐに供給し、余剰分が栽培容器２０の底から下段の植物体Ｐへ重力にしたがって滴下される灌水方法を採用する。灌水を行うタイミングは、不図示のタイマーによって制御されており、１日に数分間、養液が貯溜されている第１タンク１６及び第２タンク１７からポンプによって汲み上げられ、植物体Ｐに給水される。
このとき、本実施形態においては、養液を滴下するためのチューブ１８が植物体Ｐの移動時に妨げとならないように、通常時、すなわち養液供給時以外は、壁面１１内に内蔵された状態で壁面１１上には突出しない構成である。具体的には、タイマーＯＦＦで水圧がかからないとき、チューブ１８は、その先端部１８ａが壁面１１の経路１１ａ内で吹き戻しのように丸まって収容されている。一方、タイマーがＯＮとなり、ポンプから養液が汲み上げられ、チューブ１８に水圧がかかったときには、チューブ１８（特に先端部１８ａ）が伸長し、壁面１１上の植物体Ｐが植栽された栽培容器２０の上部に突出することにより灌水が可能となる。
【００３６】
栽培容器２０は、植物体Ｐの地下部を保護しつつ安定して植栽するため容器であって、上面部分が開放された容器である。底面部分には、不図示の水抜き用の穴が開けられており、培地が常に一定の水分を保ちつつ、余分な水分は排出されるようになっている。栽培容器２０内には土、人工土壌、水耕栽培用スポンジ等の培地が収容されており、容器ごとに植物体Ｐが一株ずつ植栽されている。
栽培容器２０は、不図示の取付部によって、移動手段であるベルト１３に着脱可能に取り付けることができる。ベルト１３に取り付けられた栽培容器２０は、台車１２の回転力を動力とするベルト１３の動作に伴って壁面１１上の栽培環境条件の異なる複数の環境区域間を図１等の矢印で示す方向に移動する。
なお、この栽培容器２０が、特許請求の範囲でいう保持手段に相当する。
【００３７】
上記構成の植物栽培装置１０により、植物栽培装置１０内の区域ごとに光環境条件、送風条件及び灌水条件を局所的に変更して栽培環境を制御することにより、植物栽培装置１０内で栽培環境条件の異なる複数の環境区域、すなわち、図１に示すように、春の栽培環境条件を擬似的に再現する春条件区域Ａ、夏の栽培環境条件を擬似的に再現する夏条件区域Ｂ、秋の栽培環境条件を擬似的に再現する秋条件区域Ｃを設けることができる。
なお、本実施形態では、冬条件に関しては冷蔵庫等の低温室に植物体Ｐを貯蔵すれば足りるため、特に冬条件区域は設けていない。ただし、冬条件区域を植物栽培装置１０内にあわせて設けることとしてもよい。
【００３８】
次に、植物栽培装置１０内で、春条件区域Ａ、夏条件区域Ｂ及び秋条件区域Ｃという栽培環境条件の異なる複数の環境区域をつくるための環境制御について具体的に説明する。
なお、図８の表に示す各条件の環境区域の値等は一例であり、各季節の栽培環境条件がこれに限定されるわけではない。特に、栽培する品目によって最適な環境条件の値はそれぞれ異なる。
【００３９】
まず、植物栽培装置１０の上部領域の空間は、温かい空気は上方に流れるという性質からＬＥＤ１４の照明熱による熱だまりができやすく、温度が高くなる傾向がある。そのため、本実施形態では、元々温度の高い上部領域の空間を夏条件区域Ｂと設定する。これにより、従来の植物工場のように冷房装置等で部屋の空気を冷やす必要がなく、照明熱により生じたその温度を利用することができる。また、夏条件区域Ｂでは作業者が実施する作業が少ないため、夏条件区域Ｂを植物栽培装置１０の上部領域の空間に設定すると、作業者の手が届き難い高い位置である上部領域の空間を有効活用することができるという利点も生じる。
さらに、図５に示すように、夏条件区域Ｂとした植物栽培装置１０の上部領域の空間には、送風機１５による送風を行わず、あえて温度を高めることとする。一方、春条件区域Ａ及び秋条件区域Ｃに設定した他の領域には、送風機１５により横方向に送風を行って、照明熱をためずに冷涼な温度に制御するよう温度調整を行う。なお、本実施形態においては、風の強度における強度０は無風状態とする。
これにより、図８に示すように、春条件区域Ａでは、地上部温度を２３度程度に制御し、地下部温度を２０度程度（非制御）とする。夏条件区域Ｂでは、地上部温度を２３度程度に照明熱を加えた温度に制御し、地下部温度を２０度程度（非制御）とする。秋条件区域Ｃでは、地上部温度を２３度程度に制御し、地下部温度を１０度程度に制御する。
【００４０】
また、ＬＥＤ１４による照射される光の波長、強度及び照射時間を環境区域ごとに条件を変えて制御する。すなわち、夏条件区域Ｂでは、夏の栽培環境条件を擬似的に再現するため、強い光を長日条件で照射する。春条件区域Ａでは、春の栽培環境条件を擬似的に再現するため、夏条件区域Ｂよりも弱い光を長日条件（ただし、夏条件区域Ｂよりも短い時間）照射する。秋条件区域Ｃでは、秋の栽培環境条件を擬似的に再現するため、夏条件区域Ｂよりも弱い光を短日条件で照射する。
具体的には、図８に示すように、春条件区域Ａでは、白色ＬＥＤ１４ａにより、白色光を２００μｍｏｌ／ｍ２／ｓの光強度で１日のうち１４時間程度照射する。夏条件区域Ｂでは、白色ＬＥＤ１４ａにより、白色光を２００μｍｏｌ／ｍ２／ｓの光強度で１日のうち１８時間程度照射すると共に、青色ＬＥＤ１４ｂ及び遠赤色ＬＥＤ１４ｃにより、青色光及び遠赤色光を５０μｍｏｌ／ｍ２／ｓの光強度で１日のうち１８時間程度照射する。秋条件区域Ｃでは、白色ＬＥＤ１４ａにより、白色光を２００μｍｏｌ／ｍ２／ｓの光強度で１日のうち８時間程度照射する。
【００４１】
なお、植物体Ｐを栽培する場合において、遠赤色光（７００〜８００ｎｍ）、赤色光（６００〜７００ｎｍ）及び青色光（４００〜５００ｎｍ）が光合成に有効な光であることは既に知られている。特に、図９に示すように、青色光受容体タンパク質であるクリプトクロムの吸収波長領域に基づいて、４３０〜４９０ｎｍの波長の青色光が好ましく、さらに、４５０〜４７０ｎｍの波長の青色光がより好ましい。
【００４２】
また、植物体Ｐの供給される養液の種類（組成）、量及び温度を環境区域ごとに条件を変えて制御する。
具体的には、図８に示すように、春条件区域Ａでは、リン酸及び微量元素が多めの養液をやや低温で標準量供給する。夏条件区域Ｂでは、葉物用に窒素が多めの養液を常温で標準よりやや多めに供給する。秋条件区域Ｃでは、窒素成分を含有しない水を低温で標準量供給する。
【００４３】
上記のように、本実施形態では、植物栽培装置１０内（壁面１１上）に、春条件区域Ａ、夏条件区域Ｂ及び秋条件区域Ｃという栽培環境条件の異なる複数の環境区域を設け、コンベアの役割を担う台車１２とベルト１３によって、植物体Ｐを栽培容器２０ごとその栽培環境条件の異なる環境区域間を移動させる。なお、このとき、隣り合う２本のベルト１３において、どちらも外側から内側に向けて回転するように移動方向を設定することにより、図１に示すように、秋条件区域Ｃを同じ領域に設けることができる。
具体的には、図１に示すように、交換区域Ｄの領域において、休眠を終えた苗、すなわち、栽培容器２０に植栽された新しい植物体Ｐを植物栽培装置１０（ベルト１３）に作業者が取り付け、その取り付けられた植物体Ｐが、春条件区域Ａ、夏条件区域Ｂ、秋条件区域Ｃの順に自動又は手動で移動する。その間、各季節条件区域に応じて、作業者により収穫、剪定等の作業が行われる。そして、秋条件区域Ｃを通過すると、秋条件区域Ｃの次に設けられた交換区域Ｄにて、作業者により植物栽培装置１０（ベルト１３）から取り外される。取り外された植物体Ｐは、枝の剪定や追肥、根切等のメンテナンスを受け、必要に応じて、例えば、植物体Ｐが落葉果樹等の低温による休眠が必要な果樹等の場合は、低温にさらすために別途冷蔵庫等の低温空間に一定期間貯蔵される。一方、植物体Ｐがマンゴー等の低温にさらす必要のない常緑果樹等の場合は、冷蔵庫への貯蔵は必要ない。
また、植物体Ｐの移動速度は、春条件区域Ａを約１か月半、夏条件区域Ｂを約１か月半、秋条件区域Ｃを約１か月半の期間をかけて移動する。すなわち、植物体Ｐは、実際の自然環境よりも短く約５〜６ヶ月で一周して、擬似的に四季を体感することになる。
【００４４】
＜第二実施形態＞
次に、本発明の第二実施形態について説明する。
ここで説明する第二実施形態も、第一実施形態と同様、壁面１１上で局所的に環境を制御することにより、壁面１１上に栽培環境条件の異なる複数の環境区域を設けたものであるが、栽培環境条件の環境区域の分け方、及び、植物体Ｐの移動方法が第一実施形態とは異なる。すなわち、植物体Ｐがその壁面１１上を横方向に移動する横方向移動型の植物栽培装置１０である。
【００４５】
図１０は、第二実施形態における植物栽培装置１０の全体構成を説明する正面図である。図１１は、第二実施形態における植物栽培装置１０の光の照射方法の一例を示す説明図である。図１２は、第二実施形態における植物栽培装置１０の光の照射方法及び灌水方法の一例を示す説明図である。図１３は、第二実施形態における植物栽培装置１０の光の照射方法の一例を示す説明図である。図１４は、第二実施形態における植物栽培装置１０の光の照射方法及び灌水方法の一例を示す説明図である。図１５は、第二実施形態における植物栽培装置１０の送風方法の一例を示す説明図である。図１６は、第二実施形態における植物栽培装置１０の全体構成を説明する正面図である。
【００４６】
図１０〜図１６に示すように、第二実施形態における植物栽培装置１０の構成は、壁面１１と、ＬＥＤ１４と、送風機１５と、チューブ１８と、栽培容器２０と、を主に備える。なお、これらの各部材については、上述した第一実施形態と概ね同様の構成であるため、ここでの詳細な説明は省略し、以下、相違点についてのみ説明する。
【００４７】
第二実施形態では、植物体Ｐが横方向に移動するシステムであるため、ＬＥＤ１４を植物体Ｐの横方向に設置すると移動の妨げとなる。そのため、植物体Ｐの横方向には設置せず、植物体Ｐの正面方向（図１１及び図１２）又は植物体Ｐの前方上部方向（図１２及び図１３）に設置する。
例えば、図１１や図１２に示すように、壁面１１と対向する領域に反射板２２を設置し、その反射板２２にＬＥＤ１４を植物体Ｐに向けて縦に設置すれば、植物体Ｐの正面方向から光を照射することができる。一方、図１３や図１４に示すように、壁面１１と対向する領域にフレーム２３を設置し、そのフレーム２３にＬＥＤ１４を植物体Ｐに向けて横に設置すれば、植物体Ｐの前方上部方向から光を照射することができる。このとき、あわせて反射板２２を設置するとより好ましい。また、第二実施形態では縦の列ごとに栽培環境条件の異なる環境区域を分けているので、いずれの場合であってもその列ごとにＬＥＤ１４を設置する。すなわち、制御したい季節の環境条件に応じて光強度や波長の異なるＬＥＤ１４を設置する。例えば、夏条件区域Ｂには、秋条件区域Ｃや春条件区域Ａよりも光強度の強いものを用いる。
【００４８】
第二実施形態では、植物体Ｐが横方向に移動するシステムであるため、図１５に示すように、送風機１５は、縦方向（上下方向）に送風する構成である。
また、第一実施形態と同様、夏条件区域Ｂに設定した領域では温度を高めるため、夏条件区域Ｂのみ送風機１５による送風を行わずに照明熱を溜まりやすくして、あえて温度を高めることとする。一方、春条件区域Ａ及び秋条件区域Ｃに設定した他の領域には、送風機１５により下から上に送風を行って、照明熱をためずに冷涼な温度に制御するよう温度調整を行う。これにより、縦方向の列ごとに同じ栽培環境条件とすることができる。
さらに、図１６に示すように、夏条件区域Ｂと春条件区域Ａ、夏条件区域Ｂと秋条件区域Ｃとが、それぞれ影響を受け難くするため、季節条件区間、すなわち、夏条件区域Ｂの両サイドに透明なすだれ２４を設置して、夏条件区域Ｂの温度を上げることもできる。
【００４９】
第二実施形態においても、第一実施形態と同様、養液を上段の植物体Ｐに供給し、余剰分が栽培容器２０の底から下段の植物体Ｐへ重力にしたがって滴下される灌水方法を採用するが、各タンクの構成、及び、タンク内の養液については、上述した第一実施形態と概ね同様であるため、ここでの図示は省略する。
なお、第二実施形態では、植物体Ｐが横方向に移動するシステムであるため、縦方向は全て同じ季節条件の環境区域となるので、上下間で養液条件を変更する必要がなく、養液経路がシンプルになるという利点がある。
また、植物体Ｐが横方向に移動するシステムであれば、養液を滴下するためのチューブ１８が植物体Ｐの移動時に妨げとなることもないので、第一実施形態のように、チューブ１８の先端部１８ａを壁面１１内に吹き戻しのように丸めて収容しておく必要がなくなるという利点がある。
【００５０】
なお、第二実施形態では、例えば、壁面１１上の棚に並べた栽培容器２０を図１０の矢印で示す横方向に移動させるだけであるので、作業者が自ら移動させる場合であっても、その作業は大した負担にならない。そのため、この第二実施形態ではコンベア等の移動手段はあえて設けないこともできるが、第１実施形態のようにコンベア等の移動手段を設けてもよい。
【００５１】
上記のように、第二実施形態では、植物栽培装置１０内（壁面１１上）で区域ごとに光環境条件、送風条件及び灌水条件を局所的に変更して栽培環境を制御することにより、春条件区域Ａ、夏条件区域Ｂ及び秋条件区域Ｃという栽培環境条件の異なる複数の環境区域を、縦方向の列ごとに設けることができる。
具体的には、図１０に示すように、左端側から、休眠を終えた苗、すなわち、栽培容器２０に植栽された新しい植物体Ｐを植物栽培装置１０に作業者が取り付け、その取り付けられた植物体Ｐが、春条件区域Ａ、夏条件区域Ｂ、秋条件区域Ｃの順に手動又は自動で移動する。その間、各季節条件区域に応じて、作業者により収穫、剪定等の作業が行われる。そして、秋条件区域Ｃを通過すると、右端側にて、作業者により植物栽培装置１０から取り外される。取り外された植物体Ｐは、枝の剪定や追肥、根切等のメンテナンスを受け、必要に応じて、例えば、植物体Ｐが落葉果樹等の低温による休眠が必要な果樹等の場合は、低温にさらすために別途冷蔵庫等の低温空間に一定期間貯蔵される。
なお、ここでも、第一実施形態と同様、植物体Ｐの移動速度は、春条件区域Ａを約１か月半、夏条件区域Ｂを約１か月半、秋条件区域Ｃを約１か月半の期間をかけて移動する。
【００５２】
＜第三実施形態＞
次に、本発明の第三実施形態について説明する。
ここで説明する第三実施形態も、第一実施形態及び第二実施形態と同様、植物栽培装置１０内で局所的に環境を制御することにより、栽培環境条件の異なる複数の環境区域を設けたものであるが、壁面１１ごとに植物体Ｐを上下方向に移動させるという点において、第一実施形態及び第二実施形態とは異なる。すなわち、植物体Ｐが壁面１１ごとに縦方向（上下方向）に移動する縦方向移動型の植物栽培装置１０である。
【００５３】
図１７は、第三実施形態における植物栽培装置１０の全体構成を説明する図である。図１８は、第三実施形態における植物栽培装置１０の光の照射方法の一例を示す説明図である。図１９は、第三実施形態における植物栽培装置１０の光の照射方法の一例を示す説明図である。図２０は、第三実施形態における植物栽培装置１０の光の照射方法の一例を示す説明図である。図２１は、第三実施形態における植物栽培装置１０の送風方法の一例を示す説明図である。
【００５４】
図１７〜図１８に示すように、第三実施形態における植物栽培装置１０の構成は、壁面１１と、ＬＥＤ１４と、送風機１５と、栽培容器２０と、を主に備える点は、上述の第一実施形態及び第二実施形態と同様であるが、壁面１１ごと上下に移動させるために移動手段が滑車３１である点が上述の第一実施形態及び第二実施形態と異なる。
なお、共通する各部材については、上述した第一実施形態及び第二実施形態と概ね同様の構成であるため、ここでの詳細な説明は省略し、以下、相違点についてのみ説明する。
【００５５】
滑車３１は、回転可能な索輪３２と、ロープ等の索状物３３とから構成される従来既知の構成である。
索状物３３は、途中部分を索輪３２と接触し、その両側には、植物体Ｐを植栽した栽培容器２０が取付けられた壁面１１を、それぞれ保持している。これにより、壁面１１の裏側同士が背中合わせとなり、壁面１１上に垂直方向に並べられた植物体Ｐが滑車３１により左右に二つに分けて吊るされた構成となる。そして、一方が下降したら、それに合わせて他方が上昇する構成である。なお、滑車３１は任意の位置で索状物３３を固定する不図示のブレーキを備えており、吊るされているそれぞれの壁面１１の重量によって左右のバランスを取っているわけではない。
【００５６】
第三実施形態では、植物体Ｐが縦方向に移動するシステムであるため、ＬＥＤ１４は植物体Ｐを設置した壁面１１の移動の妨げとならない位置に設置する。そのため、植物体Ｐの横方向（図１８）に設置するか、又は、植物体Ｐの上部方向（図１９）若しくは植物体Ｐの正面方向（図２０）に反射板２２と共に設置する。
例えば、図１８に示すように、壁面１１に横に設置されている反射板２２にＬＥＤ１４を植物体Ｐに向けて設置すれば、植物体Ｐの側面から光を照射することができる。
また、図１９に示すように、植物体Ｐのやや前方上部に反射板２２を設置し、その反射板２２にＬＥＤ１４を植物体Ｐに向けて縦に設置すれば、植物体Ｐの上部方向から光を照射することができる。また、図２０に示すように、壁面１１と対向する領域に反射板２２を設置し、その反射板２２にＬＥＤ１４を植物体Ｐに向けて縦に設置すれば、植物体Ｐの正面方向から光を照射することができる。
なお、上述した第一実施形態及び第二実施形態と同様、制御したい季節の環境条件に応じて光強度や波長の異なるＬＥＤ１４を設置する。例えば、夏条件区域Ｂには、秋条件区域Ｃや春条件区域Ａよりも光強度の強いものを用いる。
【００５７】
第三実施形態では、植物体Ｐが縦方向に移動するシステムであるため、図２１に示すように、送風機１５は、横方向に送風する構成である。
また、上述した第一実施形態と同様、ＬＥＤ１４の照明熱による熱だまりができやすく温度が高くなる傾向がある上部領域の空間を夏条件区域Ｂと設定する。
さらに、上述した第一実施形態及び第二実施形態と同様、夏条件区域Ｂに設定した領域では温度を高めるため、夏条件区域Ｂのみ送風機１５による送風を行わずに照明熱を溜まりやすくして、あえて温度を高めることとする。一方、春条件区域Ａ及び秋条件区域Ｃに設定した他の領域には、送風機１５により横方向に送風を行って、照明熱をためずに冷涼な温度に制御するよう温度調整を行う。
【００５８】
第三実施形態では、壁面１１単位で季節の条件区が分かれることになるため、灌水も壁面１１ごとに行うが、第一実施形態及び第二実施形態と同様、養液を上段の植物体Ｐに供給し、余剰分が栽培容器２０の底から下段の植物体Ｐへ重力にしたがって滴下される灌水方法を採用する。
【００５９】
上記のように、第三実施形態では、植物栽培装置１０内で区域ごとに光環境条件、送風条件及び灌水条件を局所的に変更して栽培環境を制御することにより、春条件区域Ａ、夏条件区域Ｂ及び秋条件区域Ｃという栽培環境条件の異なる複数の環境区域を、異なる高さの領域に設け、その栽培環境条件の異なる複数の環境区域間を移動させることができる。
具体的には、図１７に示すように、片方の栽培領域（左側上部）は夏条件区域Ｂに制御し、もう片方の栽培領域（右側下部）は春条件区域Ａに制御されている。そして、左側の夏条件区域Ｂを経た植物体Ｐを下方に引き下し、秋条件区域Ｃに制御する。一方、右側の春条件区域Ａを経て収穫を終えた植物体Ｐを引き上げ、夏条件区域Ｂに制御する。左側の植物体Ｐを秋条件区域Ｃ下で一定期間栽培した後、休眠や植物体Ｐのメンテナンスのため回収する。左側の植物体Ｐを回収すると同時に、休眠を経た新しい植物体Ｐを設置し、春条件区域Ａに制御して栽培する。右側の夏条件を一定期間経た植物体Ｐを引き下し、秋条件区域Ｃに制御する。左側の植物体Ｐの開花結実、収穫作業が終われば植物体Ｐを引き上げ、夏条件区域Ｂで栽培する。右側の植物体Ｐを一定期間秋条件区域Ｃで栽培した後、回収する。回収した箇所に休眠を経た新しい植物体Ｐを設置し、春条件区域Ａに制御する。
なお、ここでも、第一実施形態と同様、植物体Ｐの移動速度は、春条件区域Ａを約１か月半、夏条件区域Ｂを約１か月半、秋条件区域Ｃを約１か月半の期間をかけて移動する。
【００６０】
この第三実施形態では、特に、背中合わせの壁面１１単位で栽培環境条件を区切っているので、光環境条件、送風条件、灌水条件等の栽培環境条件の制御がラクという利点がある。また、栽培スペースが狭くてもよい。さらに、春条件区域Ａや秋条件区域Ｃは作業者が作業しやすいように手前に下りてくるという利点もある。
【００６１】
＜効果＞
上記の実施形態にて説明したように、本実施形態の植物栽培装置１０であれば、垂直面である壁面１１を利用し、装置内の区域ごとに光環境条件、送風条件及び灌水条件を局所的に変更して栽培環境条件を制御することにより、同一装置内で春条件区域Ａ、夏条件区域Ｂ及び秋条件区域Ｃという栽培環境条件の異なる複数の環境区域を設けることができる。そして、植物体Ｐをそれらの栽培環境条件の異なる環境区域間で移動させることにより、四季を体感させる必要のある植物体Ｐを省スペース且つ低コストで、効率的に栽培、収穫することができる。
【００６２】
上記の実施形態には、主として、植物工場等の栽培施設内で四季を体感させる必要のある植物を栽培するための植物栽培装置及び植物栽培方法について説明した。しかし、上記の実施形態は、本発明の理解を容易にするための一例に過ぎず、本発明を限定するものではない。本発明は、その趣旨を逸脱することなく、変更、改良され得ると共に、本発明にはその等価物が含まれることはもちろんである。
【符号の説明】
【００６３】
１０    植物栽培装置
１１    壁面
１１ａ  経路
１２    台車
１３    ベルト
１４    ＬＥＤ
１４ａ  白色ＬＥＤ
１４ｂ  青色ＬＥＤ
１４ｃ  遠赤色ＬＥＤ
１５    送風機
１６    第１タンク
１７    第２タンク
１８    チューブ
１８ａ  先端部
２０    栽培容器
２１    フレーム
２２    反射板
２３    フレーム
２４    すだれ
３１    滑車
３２    索輪
３３    索状物
Ｐ      植物体
Ｓ      養液
Ｌ      光
Ｗ      風
Ａ      春条件区域
Ｂ      夏条件区域
Ｃ      秋条件区域
Ｄ      交換区域
【図１】
2019115287.tif 000003
【図２】
2019115287.tif 000004
【図３】
2019115287.tif 000005
【図４】
2019115287.tif 000006
【図５】
2019115287.tif 000007
【図６】
2019115287.tif 000008
【図７】
2019115287.tif 000009
【図８】
2019115287.tif 000010
【図９】
2019115287.tif 000011
【図１０】
2019115287.tif 000012
【図１１】
2019115287.tif 000013
【図１２】
2019115287.tif 000014
【図１３】
2019115287.tif 000015
【図１４】
2019115287.tif 000016
【図１５】
2019115287.tif 000017
【図１６】
2019115287.tif 000018
【図１７】
2019115287.tif 000019
【図１８】
2019115287.tif 000020
【図１９】
2019115287.tif 000021
【図２０】
2019115287.tif 000022
【図２１】
2019115287.tif 000023